(57)【要約】【課題】異常発光を生じるようなバリの発生を防止し、出射光輝度のばらつきを防止する。【解決手段】導光板３は、平面形状がほぼ四角形の板状体の対向する一対の側面４，８にほぼ直交するように有底の上溝１１と下溝１２とを干渉しないように形成し、これら上溝１１と下溝１２とによって棒状の第１導光部１３と板状の第２導光部１４とに分けられている。上溝１１と下溝１２は、導光板３の板厚方向に貫通せず、その溝底１１ａ，１２ａが導光板の板厚方向で一致するか又は板厚方向にオーバーラップするようになっている。また、上溝１１及び下溝１２は、一対の側面４，８近傍まで連続して延びている。第１導光部１３には、点状光源５からの光を第１出射面１１ｂ，１２ｂのほぼ法線方向に偏向する第１プリズム状突起２１が複数形成されている。また、第２導光部１４には、上溝１１又は下溝１２を通過して入射した光を第２出射面１７のほぼ法線方向へ偏向する。【選択図】図１
2010108704.tif 000002
【特許請求の範囲】
【請求項１】
平面形状がほぼ四角形の板状体の対向する一対の側面にほぼ直交するように延びる溝を前記板状体に形成し、前記溝を境として、前記板状体を棒状の第１導光部と板状の第２導光部に区分し、
前記第１導光部は、（１）その長手方向の端面を点状光源からの光が入射する第１入射面とし、（２）前記溝側の側面を光が出射する第１出射面とし、（３）前記第１入射面から入射した前記点状光源からの光が前記第１導光部の長手方向へ向けて導光していく過程において、その光を前記第１出射面から前記溝内の空間へ出射させる第１光出射促進手段を有し、
前記第２導光部は、（１）前記溝側の側面を、前記第１導光部の第１出射面から前記溝内に出射された光が入射する第２入射面とし、（２）前記第２入射面から入射して前記第２入射面から遠ざかる方向へ伝播する光を第２出射面としての表面から出射させる第２光出射促進手段を有し、
前記溝は、（１）前記表面側に開口し且つ前記一対の側面近傍まで連続して延びる有底の上溝と、（２）前記上溝と干渉しないように位置すると共に、前記表面と反対の側に位置する裏面側に開口し且つ前記一対の側面近傍まで連続して延びる有底の下溝とからなり、（３）前記上溝の溝底と前記下溝の溝底とが、前記板状体の板厚方向である上下方向に一致するか又はオーバーラップしている、
ことを特徴とする導光板。
【請求項２】
平面形状がほぼ四角形の板状体の対向する一対の側面にほぼ直交するように延びる溝を前記板状体に形成し、前記溝を境として、前記板状体を棒状の第１導光部と板状の第２導光部に区分し、
前記第１導光部は、（１）その長手方向の端面を点状光源からの光が入射する第１入射面とし、（２）前記溝側の側面を光が出射する第１出射面とし、（３）前記第１入射面から入射した前記点状光源からの光が前記第１導光部の長手方向へ向けて導光していく過程において、その光を前記第１出射面から前記溝内の空間へ出射させる第１光出射促進手段を有し、
前記第２導光部は、（１）前記溝側の側面を、前記第１導光部の第１出射面から前記溝内に出射された光が入射する第２入射面とし、（２）前記第２入射面から入射して前記第２入射面から遠ざかる方向へ伝播する光を第２出射面としての表面から出射させる第２光出射促進手段を有し、
前記溝は、（１）前記表面側に開口し且つ前記一対の側面側に開口するように連続して延びる有底の上溝と、（２）前記上溝と干渉しないように位置すると共に、前記表面と反対の側に位置する裏面側に開口し且つ前記一対の側面側に開口するように連続して延びる有底の下溝とからなり、（３）前記上溝の溝底と前記下溝の溝底とが、前記板状体の板厚方向である上下方向に一致するか又はオーバーラップしている、
ことを特徴とする導光板。
【請求項３】
前記第１光出射促進手段は、前記第１導光部の前記第１出射面に対向する側面である背面を、前記第１入射面から遠ざかるにしたがって前記第１出射面側に漸近させてなる、
ことを特徴とする請求項１又は２に記載の導光板。
【請求項４】
前記上溝と前記下溝のうちの前記背面に近い一方の溝深さを他方の溝深さよりも深く形成した、
ことを特徴とする請求項１乃至３のいずれかに記載の導光板。
【請求項５】
前記第１光出射促進手段は、（１）前記第１導光部の前記第１出射面に対向する側面である背面に、前記上下方向に直交する仮想平面で断面した形状が略三角形状で且つ前記上下方向に沿って延びる第１プリズム状突起を前記第１導光部の長手方向に沿って複数形成して成り、（２）前記第１入射面から入射した前記点状光源からの光が前記第１導光部の長手方向へ向けて導光していく過程において、前記第１出射面にほぼ直交する方向へ伝播する光となるように光の進行方向を偏向させ、その光を前記第１出射面から前記溝内の空間へ出射させる、
ことを特徴とする請求項１乃至４のいずれかに記載の導光板。
【請求項６】
前記第１プリズム状突起は、前記上下方向の突起長さを前記第１入射面から遠ざかるにしたがって漸増させる、
ことを特徴とする請求項５に記載の導光板。
【請求項７】
前記第１プリズム状突起は、突起間ピッチを前記第１入射面からの距離にかかわらず同一とする、
ことを特徴とする請求項６に記載の導光板。
【請求項８】
前記第１プリズム状突起は、突起間ピッチを前記第１入射面から遠ざかるにしたがって漸減させる、
ことを特徴とする請求項５に記載の導光板。
【請求項９】
前記第１プリズム状突起は、前記上下方向の突起長さを前記第１入射面からの距離にかかわらず同一とする、
ことを特徴とする請求項８に記載の導光板。
【請求項１０】
前記第２入射面は、前記第１出射面から出射された光の進行方向を前記第１出射面にほぼ直交する方向へ偏向する光偏向機能を有する複数のプリズム状突起からなる、
ことを特徴とする請求項１乃至４のいずれかに記載の導光板。
【請求項１１】
前記第２光出射促進手段は、前記第２導光部の前記裏面を、前記第２入射面から遠ざかるにしたがって前記第２出射面側へ漸近させてなる、
ことを特徴とする請求項１乃至１０のいずれかに記載の導光板。
【請求項１２】
前記第２光出射促進手段は、（１）前記第２導光部の前記裏面に、前記第２入射面に直交し且つ前記裏面に直交する仮想平面で断面した形状が略三角形状の第２プリズム状突起を前記第２入射面と平行に複数形成して成り、（２）前記第２入射面から入射して前記第２入射面から遠ざかる方向へ伝播する光を第２出射面としての表面のほぼ法線方向へ向けて出射させる、
ことを特徴とする請求項５乃至１１のいずれかに記載の導光板。
【請求項１３】
前記第２プリズム状突起は、前記第２入射面に沿った突起長さを前記第２入射面から遠ざかるにしたがって漸増させる、
ことを特徴とする請求項１２に記載の導光板。
【請求項１４】
前記第２プリズム状突起は、突起間ピッチを前記第２入射面からの距離にかかわらず同一とする、
ことを特徴とする請求項１３に記載の導光板。
【請求項１５】
前記第２プリズム状突起は、突起間ピッチを前記第２入射面から遠ざかるにしたがって漸減させる、
ことを特徴とする請求項１２に記載の導光板。
【請求項１６】
前記第２プリズム状突起は、突起間ピッチを前記第２入射面から遠ざかるにしたがって漸減させる、
ことを特徴とする請求項１３に記載の導光板。
【請求項１７】
前記第２プリズム状突起は、前記第２入射面に沿った突起長さを前記第２入射面からの距離にかかわらず同一とする、
ことを特徴とする請求項１５に記載の導光板。
【請求項１８】
前記請求項１乃至４のいずれかに記載の導光板と、前記導光板の前記第１導光部の前記端面に対向するように配置される点状光源と、前記導光板の前記第２出射面に対向するように配置された第１の光制御部材と、この第１の光制御部材に重ねて配置された第２の光制御部材と、を備え、
前記第１の光制御部材は、前記導光板の前記第２入射面に直交し且つ前記導光板の前記第２出射面に直交する仮想平面内において、前記第２出射面から出射した光を前記第２出射面の法線方向寄りに集めるようになっており、
前記第２の光制御部材は、前記導光板の前記第２入射面に平行で且つ前記導光板の前記第２出射面に直交する仮想平面内において、前記第１の光制御部材から出射した光を前記第２出射面の法線方向寄りに集めるようになっている、
ことを特徴とする面光源装置。
【請求項１９】
前記請求項５乃至１１のいずれかに記載の導光板と、前記導光板の前記第１導光部の前記端面に対向するように配置される点状光源と、前記導光板の前記第２出射面に対向するように配置された光制御部材と、を備え、
前記光制御部材は、前記導光板の前記第２入射面に直交し且つ前記導光板の前記第２出射面に直交する仮想平面内において、前記第２出射面から出射した光を前記第２出射面の法線方向寄りに集めるようになっている、
ことを特徴とする面光源装置。
【請求項２０】
前記請求項１２乃至１７のいずれかに記載の導光板と、前記導光板の前記第１導光部の前記端面に対向するように配置される点状光源と、前記導光板の前記第２出射面に対向するように配置された光拡散機能を有する光制御部材と、
を備えたことを特徴とする面光源装置。
【請求項２１】
前記請求項１８乃至２０のいずれかに記載の面光源装置と、この面光源装置の前記光制御部材に重ねて配置された画像表示パネルと、
を備えたことを特徴とする画像表示装置。
【発明の詳細な説明】
【技術分野】
【０００１】
この発明は、携帯型電話機，携帯型電子端末装置，電子手帳，カーナビゲーション装置，デジタルカメラ，ノート型パソコン等において、液晶表示パネル等の画像表示パネルを照明するために、点状光源からの光を面状の照明光として出射する導光板、この導光板を使用した面光源装置、及びこの面光源装置によって液晶表示パネル等の画像表示パネルを照明するようになっている画像表示装置に関するものである。
【背景技術】
【０００２】
従来から、携帯型電話機，デジタルカメラ，ノート型パソコン等の液晶表示パネルを面状に照明する面光源装置は、消費電力を低減するために、蛍光ランプに代えてＬＥＤ（点状光源）を光源として使用している。
【０００３】
図２０は、このようなＬＥＤ１００を光源として使用する面光源装置１０１用の導光板１０２を示すものである。この図２０に示す導光板１０２は、平面形状が略四角形状の板状体の一側面１０３に近い位置に、一側面１０３に沿って延びる複数の細長い穴１０４を一列に配置し、その複数の穴１０４によって棒状の第１導光部１０５と板状の第２導光部１０６に区分している。そして、この導光板１０２は、第１導光部１０５の長手方向の両端面１０７，１０８に対向するようにＬＥＤ１００，１００をそれぞれ配置し、そのＬＥＤ１００，１００からの光を第１導光部１０５の端面１０７，１０８から第１導光部１０５の内部に入射させ、その第１導光部１０５内に入射した光が第１導光部１０５内を伝播する過程において、一側面（第１導光部１０５の背面）１０３に形成した凹部１１０によって光の進行方向を一側面１０３に対して直交する方向へ偏向し、第２導光部１０６側へ光Ｌを導くようになっている（特許文献１参照）。
【特許文献１】特開２００３−１２１６５２号公報
【発明の開示】
【発明が解決しようとする課題】
【０００４】
図２０に示す導光板１０２は、穴１０４が表裏（板厚方向）に貫通しているため、射出成形する場合に、キャビティを形作る第１金型と第２金型の型合わせ面が裏面１１１側に配置され、裏面１１１側の穴１０４の端縁にバリ１１２が生じやすい（図２１参照）。このような穴１０４の端縁にバリ１１２が生じた導光板１０２を使用すると、バリ１１２によって光が反射され、第２導光部１０６からの出射光に異常発光部（面状出射光のうちの出射光輝度の高い部分又は低い部分）が生じ、照明品質を低下させるという問題が生じる。
【０００５】
また、図２０に示す導光板１０２は、隣り合う穴１０４，１０４間に第１導光部１０５と第２導光部１０６を連結するブリッジ部１１３が形成され、両端の穴１０４，１０４の外側にもそれぞれ第１導光部１０５と第２導光部１０６を連結するブリッジ部１１４，１１４が形成されている。このような導光板１０２は、穴１０４，１０４間のブリッジ部１１３，１１３で導光されて第２導光部１０６に伝播する光と穴１０４を通過した後に第２導光部１０６に入射する光との間で明暗の差が生じ、その第２導光部１０６における光の明暗の差が有効発光領域（照明光として利用する出射光領域）内の出射光輝度のばらつきとして観察され、照明品質を低下させるという問題が生じる。
【０００６】
そこで、本発明は、点状光源を線状に変換する導光部と線状に変換された導光部からの光を入射して面状に発光する導光部を一体化した導光板において、異常発光を生じるようなバリの発生を防止でき、有効発光領域から出射する光の輝度にばらつきが生じるのを防止できるようにした高品位な導光板、及び高品位と高輝度を兼ね備える導光板、この導光板を備えた面光源装置及び画像表示装置を提供することを目的とする。
【課題を解決するための手段】
【０００７】
請求項１の発明は、平面形状がほぼ四角形の板状体の対向する一対の側面にほぼ直交するように延びる溝を前記板状体に形成し、前記溝を境として、前記板状体を棒状の第１導光部と板状の第２導光部に区分してなる導光板に関するものである。この導光板の前記第１導光部は、（１）その長手方向の端面を点状光源からの光が入射する第１入射面とし、（２）前記溝側の側面を光が出射する第１出射面とし、（３）前記第１入射面から入射した前記点状光源からの光が前記第１導光部の長手方向へ向けて導光していく過程において、その光を前記第１出射面から前記溝内の空間へ出射させる第１光出射促進手段を有している。また、前記第２導光部は、（１）前記溝側の側面を、前記第１導光部の第１出射面から前記溝内に出射された光が入射する第２入射面とし、（２）前記第２入射面から入射して前記第２入射面から遠ざかる方向へ伝播する光を第２出射面としての表面から出射させる第２光出射促進手段を有している。そして、前記溝は、（１）前記表面側に開口し且つ前記一対の側面近傍まで連続して延びる有底の上溝と、（２）前記上溝と干渉しないように位置すると共に、前記表面と反対の側に位置する裏面側に開口し且つ前記一対の側面近傍まで連続して延びる有底の下溝とからなり、（３）前記上溝の溝底と前記下溝の溝底とが、前記板状体の板厚方向である上下方向に一致するか又はオーバーラップしている。
【０００８】
請求項２の発明は、平面形状がほぼ四角形の板状体の対向する一対の側面にほぼ直交するように延びる溝を前記板状体に形成し、前記溝を境として、前記板状体を棒状の第１導光部と板状の第２導光部に区分してなる導光板に関するものである。この導光板の前記第１導光部は、（１）その長手方向の端面を点状光源からの光が入射する第１入射面とし、（２）前記溝側の側面を光が出射する第１出射面とし、（３）前記第１入射面から入射した前記点状光源からの光が前記第１導光部の長手方向へ向けて導光していく過程において、その光を前記第１出射面から前記溝内の空間へ出射させる第１光出射促進手段を有している。また、前記第２導光部は、（１）前記溝側の側面を、前記第１導光部の第１出射面から前記溝内に出射された光が入射する第２入射面とし、（２）前記第２入射面から入射して前記第２入射面から遠ざかる方向へ伝播する光を第２出射面としての表面から出射させる第２光出射促進手段を有している。また、前記溝は、（１）前記表面側に開口し且つ前記一対の側面側に開口するように連続して延びる有底の上溝と、（２）前記上溝と干渉しないように位置すると共に、前記表面と反対の側に位置する裏面側に開口し且つ前記一対の側面側に開口するように連続して延びる有底の下溝とからなり、（３）前記上溝の溝底と前記下溝の溝底とが、前記板状体の板厚方向である上下方向に一致するか又はオーバーラップしている。
【０００９】
請求項３の発明は、請求項１又は２の導光板の前記第１光出射促進手段に特徴を有するものである。すなわち、前記第１光出射促進手段は、前記第１導光部の前記第１出射面に対向する側面である背面を、前記第１入射面から遠ざかるにしたがって前記第１出射面側に漸近させてなる、ことを特徴としている。
【００１０】
請求項４の発明は、請求項１乃至３のいずれかの導光板において、前記上溝と前記下溝のうちの前記背面に近い一方の溝深さを他方の溝深さよりも深く形成した、ことを特徴としている。
【００１１】
請求項５の発明は、請求項１乃至４のいずれかの導光板の前記第１光出射促進手段に特徴を有するものである。すなわち、前記第１光出射促進手段は、（１）前記第１導光部の前記第１出射面に対向する側面である背面に、前記上下方向に直交する仮想平面で断面した形状が略三角形状で且つ前記上下方向に沿って延びる第１プリズム状突起を前記第１導光部の長手方向に沿って複数形成して成り、（２）前記第１入射面から入射した前記点状光源からの光が前記第１導光部の長手方向へ向けて導光していく過程において、前記第１出射面にほぼ直交する方向へ伝播する光となるように光の進行方向を偏向させ、その光を前記第１出射面から前記溝内の空間へ出射させる、ことを特徴としている。
【００１２】
請求項６の発明は、請求項５の導光板の前記第１プリズム状突起に特徴を有するものである。すなわち、前記第１プリズム状突起は、前記上下方向の突起長さを前記第１入射面から遠ざかるにしたがって漸増させるようになっている。
【００１３】
請求項７の発明は、請求項６の導光板の前記第１プリズム状突起に特徴を有するものである。すなわち、前記第１プリズム状突起は、突起間ピッチを前記第１入射面からの距離にかかわらず同一とすることを特徴としている。
【００１４】
請求項８の発明は、請求項５の導光板の前記第１プリズム状突起に特徴を有するものである。すなわち、前記第１プリズム状突起は、突起間ピッチを前記第１入射面から遠ざかるにしたがって漸減させることを特徴としている。
【００１５】
請求項９の発明は、請求項８の導光板の前記第１プリズム状突起に特徴を有するものである。すなわち、前記第１プリズム状突起は、前記上下方向の突起長さを前記第１入射面からの距離にかかわらず同一とすることを特徴としている。
【００１６】
請求項１０の発明は、請求項１乃至４の導光板において、前記第２入射面が、前記第１出射面から出射された光の進行方向を前記第１出射面にほぼ直交する方向へ偏向する光偏向機能を有する複数のプリズム状突起からなることを特徴としている。
【００１７】
請求項１１の発明は、請求項１乃至１０のいずれかの導光板の前記第２光出射促進手段に特徴を有するものである。すなわち、前記第２光出射促進手段は、前記第２導光部の前記裏面を、前記第２入射面から遠ざかるにしたがって前記第２出射面側へ漸近させてなることを特徴としている。
【００１８】
請求項１２の発明は、請求項５乃至１１のいずれかの導光板の前記第２光出射促進手段に特徴を有するものである。すなわち、前記第２光出射促進手段は、（１）前記第２導光部の前記裏面に、前記第２入射面に直交し且つ前記裏面に直交する仮想平面で断面した形状が略三角形状の第２プリズム状突起を前記第２入射面と平行に複数形成して成り、（２）前記第２入射面から入射して前記第２入射面から遠ざかる方向へ伝播する光を第２出射面としての表面のほぼ法線方向へ向けて出射させる、ことを特徴としている。
【００１９】
請求項１３の発明は、請求項１２の導光板の前記第２プリズム状突起に特徴を有するものである。すなわち、前記第２プリズム状突起は、前記第２入射面に沿った突起長さを前記第２入射面から遠ざかるにしたがって漸増させることを特徴としている。
【００２０】
請求項１４の発明は、請求項１３の導光板の前記第２プリズム状突起に特徴を有するものである。すなわち、前記第２プリズム状突起は、突起間ピッチを前記第２入射面からの距離にかかわらず同一とすることを特徴としている。
【００２１】
請求項１５の発明は、請求項１２の導光板の前記第２プリズム状突起に特徴を有するものである。すなわち、前記第２プリズム状突起は、突起間ピッチを前記第２入射面から遠ざかるにしたがって漸減させることを特徴としている。
【００２２】
請求項１６の発明は、請求項１３の導光板の前記第２プリズム状突起に特徴を有するものである。すなわち、前記第２プリズム状突起は、突起間ピッチを前記第２入射面から遠ざかるにしたがって漸減させることを特徴としている。
【００２３】
請求項１７の発明は、請求項１５の導光板の前記第２プリズム状突起に特徴を有するものである。すなわち、前記第２プリズム状突起は、前記第２入射面に沿った突起長さを前記第２入射面からの距離にかかわらず同一とすることを特徴としている。
【００２４】
請求項１８の発明は、請求項１乃至４のいずれかの導光板と、前記導光板の前記第１導光部の前記端面に対向するように配置される点状光源と、前記導光板の前記第２出射面に対向するように配置された第１の光制御部材と、この第１の光制御部材に重ねて配置された第２の光制御部材と、を備えた面光源装置に関するものである。そして、この面光源装置の前記第１の光制御部材は、前記導光板の前記第２入射面に直交し且つ前記導光板の前記第２出射面に直交する仮想平面内において、前記第２出射面から出射した光を前記第２出射面の法線方向寄りに集めるようになっている。また、前記第２の光制御部材は、前記導光板の前記第２入射面に平行で且つ前記導光板の前記第２出射面に直交する仮想平面内において、前記第１の光制御部材から出射した光を前記第２出射面の法線方向寄りに集めるようになっている。
【００２５】
請求項１９の発明は、請求項５乃至１１のいずれかの導光板と、前記導光板の前記第１導光部の前記端面に対向するように配置される点状光源と、前記導光板の前記第２出射面に対向するように配置された光制御部材と、を備えた面光源装置に関するものである。そして、この面光源装置の前記光制御部材は、前記導光板の前記第２入射面に直交し且つ前記導光板の前記第２出射面に直交する仮想平面内において、前記第２出射面から出射した光を前記第２出射面の法線方向寄りに集めるようになっている。
【００２６】
請求項２０の発明は、請求項１２乃至１７のいずれかの導光板と、前記導光板の前記第１導光部の前記端面に対向するように配置される点状光源と、前記導光板の前記第２出射面に対向するように配置された光拡散機能を有する光制御部材と、を備えたことを特徴とする面光源装置に関するものである。
【００２７】
請求項２１の発明は、請求項１８乃至２０のいずれかの面光源装置と、この面光源装置の前記光制御部材に重ねて配置された画像表示パネルと、を備えたことを特徴とする画像表示装置に関するものである。
【発明の効果】
【００２８】
本発明に係る導光板は、第１導光部と第２導光部とを分ける上溝と下溝が有底であるため、溝が導光板の板厚方向に貫通する場合に生じるバリの発生がなく、バリに起因する異常発光を生じることがない。また、本発明に係る導光板は、第１導光部から出射した光のうちの上溝と下溝の少なくとも一方を通過した後に第２導光部に入射した光を照明光として利用できるため、従来例（第１導光部から出射した光のうちで溝間の連結部を通過して第２導光部に入射した光と、溝を通過した後に第２導光部に入射した光とが混ざり合った状態で照明光として利用される従来例）に比較し、導光板から出射する照明光の輝度のばらつきを抑えることができる。したがって、本発明に係る導光板は、照明光として利用する出射光の輝度を均一化することができ、照明品質が向上する。
【００２９】
また、本発明に係る導光板を備えた面光源装置は、画像表示パネルの照明光の照度を均一化することができる。
【００３０】
また、本発明に係る導光板を備えた画像表示装置は、画像表示パネルへの照明光が均一であるため、画像表示に明るさのばらつきがなく、画像表示品質が向上する。
【発明を実施するための最良の形態】
【００３１】
以下、本発明の最良の実施形態を図面に基づき詳述する。
【００３２】
［第１実施形態］
図１は、本発明の第１実施形態に係る面光源装置１を示すものである。このうち、図１（ａ）は、光制御部材２を省略して示す面光源装置１の平面図である。また、図１（ｂ）は、図１（ａ）の面光源装置１のＡ１−Ａ１線に沿って切断して示す断面図である。また、図１（ｃ）は、図１（ｂ）のＦ部を拡大して示す図である。
【００３３】
（面光源装置及び画像表示装置の全体構造）
図１に示すように、本実施形態の面光源装置１は、平面形状がほぼ四角形の板状体である導光板３と、この導光板３の側面４の一端側に対向するように配置された点状光源（例えば、ＬＥＤ）５と、導光板３に重ね合わせるように配置された光制御部材２と、を備えている。そして、このような面光源装置１の光制御部材２に画像表示パネル（例えば、液晶表示パネル）６が重ね合わせて配置されることにより、画像表示装置（例えば、液晶表示装置）７が構成されるようになっている。
【００３４】
（導光板）
導光板３は、ＰＭＭＡ（ポリメタクリル酸メチル），ＰＣ（ポリカーボネート），シクロオレフィン系樹脂材料等の光透過性に優れた材料を使用して形成された板状体であり、平面形状がほぼ四角形状で且つ板厚が一定となるように射出成形されている。また、この導光板３は、一対の対向する側面４，８（図１（ａ）の上下にそれぞれ位置する側面８，４）に直交するように延び、且つ、両側面４，８の近傍まで延びる溝１０（上溝１１，下溝１２）を形成し、この溝１０（上溝１１，下溝１２）を境として、棒状の第１導光部１３と板状の第２導光部１４に区分している。なお、導光板３は、上溝１１及び下溝１２の長手方向両端部に残る部分（第１連結部）１５及び上溝１１と下溝１２との間に残る部分（第２連結部）１６によって、第１導光部１３と第２導光部１４とが連結されている。
【００３５】
溝１０は、導光板３の表面（図１（ｂ）の上面）１７側に開口する上溝１１と、導光板３の裏面（図１（ｂ）の下面）１８側に開口する下溝１２とからなっている。そして、上溝１１は、下溝１２よりも第１導光部１３の側面（反射面となる背面）２０寄りに位置し、導光板３の表面１７から導光板３の板厚方向の中間位置を越える深さに形成されている。また、下溝１２は、導光板３の裏面１８から導光板３の板厚方向の中間位置近傍であって、且つ、上溝１１の溝底１１ａと下溝１２の溝底１２ａの位置が同一高さ位置か又は上溝１１の溝底１１ａと下溝１２の溝底１２ａが板厚方向にオーバーラップする程度の溝深さに形成されている。そして、これら上溝１１及び下溝１２は、内部空間に他の部材が収容されることがなく、内部空間内に空気が存在するようになっている。また、図１（ｂ）に示すように、上溝１１及び下溝１２は、その断面形状が矩形形状となるように形成されており、長手方向の一端側から他端側まで同一の断面形状となるように形成されている。
【００３６】
第１導光部１３は、その長手方向の一端面（側面４の一部）４ａから点状光源５の光を入射させるようになっており、その長手方向の一端面４ａが点状光源５からの光を入射させる第１入射面（以下、一端面４ａと第１入射面４ａとを適宜使い分ける）となっている。また、この第１導光部１３の溝１０（上溝１１，下溝１２）側の側面１１ｂ，１２ｂは、第１入射面４ａから入射した点状光源５からの光が第１導光部１３内を他端面（一端面４ａと対向する端面）８ａ側へ向かって伝播する過程において、背面（溝１０側の側面１１ｂ，１２ｂの反対側に位置する側面）２０側で反射された光を溝１０側に出射する第１出射面として機能する。或いは、側面１１ｂ，１２ｂを粗面化する等して、側面１１ｂ，１２ｂに直接到達した光も背面２０側で反射された光と合わせて、溝１０側に出射する第１出射面として機能する。なお、側面１１ｂ，１２ｂと第１出射面１１ｂ，１２ｂとを適宜使い分ける。
【００３７】
また、この第１導光部１３は、背面２０が一端面４ａから他端面８ａへ向かうにしたがって第１出射面１１ｂ，１２ｂ側に漸近するように形成されており、平面形状が略楔形形状の棒状体である。そして、第１導光部１３の背面２０には、導光板３の板厚方向に沿って延びる断面略三角形状（導光板３の板厚方向に直交する仮想平面であって、導光板３の表面１７に平行の仮想平面で切断した断面形状が略三角形状）の第１プリズム状突起２１が第１導光部１３の一端面４ａ側から他端面８ａ側へ向かって同一間隔で連続して複数形成されている。この第１導光部１３の背面２０側の第１プリズム状突起２１は、第１出射面１１ｂ，１２ｂからの光の出射を促す第１光出射促進手段として機能するものであり、第１出射面１１ｂ，１２ｂのほぼ法線方向へ向かう平行な光Ｌ１を出射させるようになっている。ここで、第１プリズム状突起２１は、全てが同一の長さに形成されており、導光板３の表面１７側から裏面１８側まで形成されている。なお、第１プリズム状突起２１は、例えば、図５（ｂ）に示すように、θ１＝４３°、θ２＝８７°、Ｓ１＝０．０２５ｍｍとなるように形成される。
【００３８】
第２導光部１４は、上溝１１及び下溝１２側の側面１１ｃ，１２ｃが第１導光部１３の第１出射面１１ｂ，１２ｂから上溝１１内及び下溝１２内に出射された光が入射する第２入射面として機能する（以下、側面１１ｃ，１２ｃと第２入射面１１ｃ，１２ｃとを適宜使い分ける）。また、第２導光部１４は、裏面１８側に第２入射面１１ｃ，１２ｃに平行するように延びる断面略三角形状の第２プリズム状突起２２が第２入射面１１ｃ，１２ｃから遠ざかる方向に沿って複数連続して形成されている。この第２導光部１４の裏面１８側に形成された第２プリズム状突起２２は、第２入射面１１ｃ，１２ｃから入射して第２導光部１４の内部を伝播する光を第２導光部１４の表面１７の法線方向に向かう光Ｌ２に偏向し、第２導光部１４の表面１７からの光の出射を促す第２光出射促進手段として機能する。第２導光部１４の表面１７は、第２導光部１４から光を面状に出射する第２出射面として機能する（以下、表面１７と第２出射面１７とを適宜使い分ける）。ここで、第２導光部１４の裏面１８に形成する第２プリズム状突起２２は、同一長さで且つ同一間隔（ピッチＰ）で形成されている。なお、第２プリズム状突起２２は、例えば、図９（ｂ）に示すように、θ１＝７８°、θ２＝４５°となるように形成される。
【００３９】
（光制御部材）
図１（ｂ）に示すように、光制御部材２は、導光板３の第２導光部１４の第２出射面１７に重ねて配置され、第２出射面１７から出射された光を一様に散乱させて液晶表示パネル６側へ向けて出射するようになっている。この光制御部材２は、光透過性に優れた樹脂材料（例えば、ＰＣ，ＰＭＭＡ）によって形成されている。
【００４０】
（第１実施形態の作用）
図２（ａ）は、本実施形態に係る面光源装置１の第１導光部１３における第１出射面１１ｂ，１２ｂから出射される光の相対光度を、垂直方向と水平方向とで測定したものを示すものである（図２（ｂ），（ｃ）参照）。なお、この図２（ａ）において、第１出射面１１ｂ，１２ｂの法線方向を０°として表示し、垂直方向及び水平方向の両方向における最大光度を１として各出射方向の光度を相対的に示した。また、第１出射面１１ｂ，１２ｂに直交し、且つ、導光板３の表面１７と平行な仮想平面上において測定した場合を垂直方向として表示した（図２（ｂ），（ｃ）参照）。また、第１出射面１１ｂ，１２ｂに直交し、且つ、導光板３の表面１７に直交する仮想平面上において測定した場合を水平方向として表示した（図２（ｂ），（ｃ）参照）。
【００４１】
この図２（ａ）に示すように、本実施形態の面光源装置１は、第１導光部１３の第１出射面１１ｂ，１２ｂから出射される光のうちの垂直方向成分は、第１出射面１１ｂ，１２ｂのほぼ法線方向に集まっており、第１出射面１１ｂ，１２ｂのほぼ法線方向に沿って進行していることが看て取れる。
【００４２】
図３（ａ）は、本実施形態に係る面光源装置１の第２導光部１４における表面（第２出射面）１７から出射される光の相対光度を、垂直方向と水平方向とで測定したものを示すものである（図３（ｂ）参照）。なお、この図３（ａ）において、第２導光部１４の第２出射面１７の法線方向を０°として表示し、垂直方向及び水平方向の両方向における最大光度を１として各出射方向の光度を相対的に示した（図３（ｂ）参照）。また、第２導光部１４の第２出射面１７に直交し、且つ、第２入射面１１ｃ，１２ｃに直交する仮想平面上において測定した場合を垂直方向として表示した（図３（ｂ）参照）。また、第２導光部１４の第２出射面１７に直交し、且つ、第２入射面１１ｃ，１２ｃに平行な仮想平面上において測定した場合を水平方向として表示した（図３（ｂ）参照）。
【００４３】
この図３（ａ）に示すように、本実施形態の面光源装置１は、第２導光部１４の第２出射面１７から出射される光の垂直方向成分と水平方向成分は、第２導光部１４の第２出射面１７のほぼ法線方向に集まっており、第２導光部１４の第２出射面１７のほぼ法線方向に沿って出射していることが看て取れる。
【００４４】
このように、本実施形態の面光源装置１によれば、図１（ａ）に示したように、点状光源５からの光を第１導光部１３の第１出射面１１ｂ，１２ｂからそのほぼ法線方向に向かう光Ｌ１として上溝１１又は下溝１２内に出射し、その出射光Ｌ１を第２導光部１４の第２入射面１１ｃ，１２ｃから第２導光部１４内に入射させた後、第２導光部１４の表面（第２出射面）１７のほぼ法線方向に向けて光Ｌ２を出射し、その出射光Ｌ２を光制御部材２によって均等に拡散させて均一な面状照明光とし、画像表示パネル６を効率的に照明する。
【００４５】
（第１実施形態の効果）
以上のような本実施形態によれば、導光板３に形成される溝１０（上溝１１及び下溝１２）は、導光板３の表裏（板厚方向）に貫通するものではなく、射出成形時におけるバリが導光板３の裏面１８又は表面１７に生じることがなく、バリによって反射された光が第２導光部１４の表面（第２出射面）１７側から視認されるようなことがないため、照明品質を向上させることができる。
【００４６】
また、本実施形態によれば、導光板３に形成された上溝１１の溝底１１ａと下溝１２の溝底１２ａとが導光板３の板厚方向の同一位置にあるか、又は上溝１１の溝底１１ａと下溝１２の溝底１２ａとが導光板３の板厚方向にオーバーラップする位置にある。そのため、第１導光部１３側から第２導光部１４側へ伝播する光は、照明光として利用する光を出射する領域（有効発光領域）２３の外側に位置する第１連結部１５，１５を通過する場合を除き、上溝１１又は下溝１２を通過することになり、第２出射面１７の有効発光領域２３からの出射光輝度にばらつきを生じることがない。
【００４７】
また、本実施形態の面光源装置１を備えた画像表示装置７は、画像表示パネル６が均一な面状照明光によって照明されるため、画像表示パネル６による画像表示品質が向上する。
【００４８】
また、本実施形態の導光板３は、下溝１２の開口縁にバリが生じないため、面光源装置１及び画像表示装置７を組み立てる際に、バリに起因する組立誤差が生じない。
【００４９】
なお、本実施形態の導光板３において、第１入射面４ａは、第１出射面１１ｂ，１２ｂに対して鈍角で交差するように傾けて形成してもよい。
【００５０】
（第１変形例）
図４は、面光源装置１の第１変形例を示すものである。なお、本変形例に係る面光源装置１は、図１に示した面光源装置１と同様の構成部分に同一符号を付し、重複する説明を省略する。
【００５１】
この図４に示すように、本変形例の面光源装置１は、第１導光部１３の平面形状を矩形形状に形成し、第１導光部１３の側面２０と第１出射面（対向する側面）１１ｂ，１２ｂを平行に形成し、第１導光部１３の側面２０に第１プリズム状突起２１を複数形成するようにしてもよい。この第１導光部１３の側面２０に形成された第１プリズム状突起２１は、第１導光部１３内を一端面４ａから他端面８ａ側へ伝播する光を第１導光部１３の第１出射面１１ｂ，１２ｂの略法線方向へ出射させるように機能する第１光出射促進手段として機能する。
【００５２】
このような第１導光部１３が形成された導光板３を備えた面光源装置１は、図１に示した本第１実施形態の面光源装置１と同様の効果を得ることができる。
【００５３】
なお、本変形例においては、点状光源５を第１導光部１３の両端面４ａ，８ａに対向するようにそれぞれ配置してもよい。
【００５４】
（第２変形例）
図５は、面光源装置１の第２変形例を示すものであり、特に、面光源装置１を構成する導光板３の第１導光部１３の変形例を示すものである。
【００５５】
この図５に示すように、導光板３の第１導光部１３は、第１プリズム状突起２１のプリズム幅（板厚方向の突起長さ）が一端面４ａ側から他端面８ａ側へ向かうに従って（点状光源５から離れるに従って）徐々に長くなるように、側面２０に複数形成してある（図５（ａ）参照）。
【００５６】
ここで、第１プリズム状突起２１は、図５（ｂ）に示すように、図５（ａ）のＹ１方向から見た形状が三角形状であり、例えば、Ｓ１＝０．０２５ｍｍ、θ１＝４３°、θ２＝８７°となるように形成され、同一ピッチ（Ｐ）で連続して複数形成されている。そして、第１プリズム状突起２１は、図５（ｃ）に示すように、第１導光部１３の一端面４ａから他端面８ａに向かうに従ってプリズム幅の増加率が漸増（下に凸の曲線で表される増加率で漸増）するように形成されている。
【００５７】
このように構成された第１導光部１３は、第１出射面１１ｂ，１２ｂから出射される光度が一端面４ａ側から他端面８ａ側まで均一化する。したがって、このような第１導光部１３が形成された導光板３を面光源装置１の構成部品として使用すれば、面状照明の明るさがより一層均一化される。
【００５８】
（第３変形例）
図６は、面光源装置１の第３変形例を示すものであり、特に、面光源装置１を構成する導光板３の第１導光部１３の変形例を示すものである。
【００５９】
この図６に示すように、導光板３の第１導光部１３は、第１プリズム状突起２１のピッチが一端面４ａ側から他端面８ａ側に向かうに従って徐々に狭くなっていくように（可変ピッチとなるように）、側面２０に複数形成されている（図６（ａ）参照）。
【００６０】
ここで、第１プリズム状突起２１は、図６（ｂ）に示すように、図６（ａ）のＹ２方向から見た形状が三角形状であり、例えば、Ｓ１＝０．０２５ｍｍ、θ１＝４５°、θ２＝７８°となるように複数形成されている。そして、第１プリズム状突起２１は、図６（ｃ）に示すように、第１導光部１３の一端面４ａから他端面８ａに向かうに従ってプリズム数の増加率が漸増（上に凸の曲線で表される増加率で漸増）するように形成されている。
【００６１】
このように構成された第１導光部１３は、第１出射面１１ｂ，１２ｂから出射される光度が一端面４ａ側から他端面８ａ側まで均一化する。したがって、このような第１導光部１３が形成された導光板３を面光源装置１の構成部品として使用すれば、面状照明の明るさがより一層均一化される。
【００６２】
（第４変形例）
図７は、面光源装置１の第４変形例を示すものであり、特に、導光板３の上溝１１と下溝１２の形状の変形例を示すものである。なお、図７に示す本変形例において、図１（ｂ）と同一構成部分には同一符号を付し、図１（ｂ）の第１実施形態と重複する説明を省略する。
【００６３】
この図７に示すように、導光板３は、第１導光部１３の側面２０側により近い上溝１１が下溝１２の溝深さよりも深くなるように形成されている。なお、上溝１１の溝底１１ａは、導光板３の裏面１８に近い位置にあることが好ましい。
【００６４】
このように構成した本変形例によれば、第１導光部１３と第２導光部１４の第２連結部１６の位置が第２導光部１４の第２出射面１７側からより遠い位置となり、第２連結部１６を第２導光部１４の第２出射面１７側から視認しにくくなり、照明品質が向上する。
【００６５】
（第５変形例）
図８は、面光源装置１の第５変形例を示すものであり、特に、導光板３の第２導光部１４の変形例を示すものである。なお、図８に示す本変形例において、図１（ｂ）と同一構成部分には同一符号を付し、図１（ｂ）の第１実施形態と重複する説明を省略する。
【００６６】
この図８に示すように、導光板３の第２導光部１４は、その裏面１８側を下溝１２の第２入射面１２ｃから遠ざかるに従って導光板３の表面（第２出射面）１７側に漸近する楔形状に形成し、その裏面１８に第２プリズム状突起２２を形成してもよい。
【００６７】
このように構成した本変形例によれば、第２導光部１４の第２プリズム状突起２２による第２光出射促進機能に加えて、第２導光部１４が第２入射面１２ｃから遠ざかるに従って導光板３の表面（第２出射面）１７に漸近する楔形状による光出射促進機能とが相俟って、第２導光部１４の表面（第２出射面）１７からの光の出射がより一層促進される。
【００６８】
（第６変形例）
図９は、面光源装置１の第６変形例を示すものであり、特に、導光板３の第２導光部１４の変形例を示すものである。なお、図９に示す本変形例において、図１と同一構成部分には同一符号を付し、図１の第１実施形態と重複する説明を省略する。
【００６９】
この図９に示すように、導光板３の第２導光部１４の裏面１８側に形成した第２プリズム状突起２２は、下溝１２の第２入射面１２ｃから遠ざかる（第２入射面１２ｃと対向する導光板３の側面２４へ向かう）に従って隣り合う第２プリズム状突起２２との間隔（ピッチ）を徐々に狭めるようにようになっている。これにより、本変形例に係る導光板３は、下溝１２の第２入射面１２ｃから側面２４へ向かって遠ざかるに従って、第２プリズム状突起２２の形成密度が増す。ここで、第２プリズム状突起２２は、図９（ｂ）に示すように、例えば、Ｓ１＝０．０２５ｍｍ、θ１＝７８°、θ２＝４５°となるように形成されている。そして、図１０に示すように、第２プリズム状突起２２は、下溝１２の第２入射面１２ｃから側面２４へ向かうに従って第２プリズム状突起２２の数の増加率が漸増（上に凸の曲線で表される増加率で漸増）するように形成されている。
【００７０】
このように構成された第２導光部１４は、導光板３の表面（第２出射面）１７から出射する光の輝度を均一化することができる。したがって、このような第２導光部１４が形成された導光板３を面光源装置１の構成部品として使用すれば、面状照明の明るさがより一層均一化される。
【００７１】
（第７変形例）
図１１は、面光源装置１の第７変形例を示すものであり、特に、導光板３の第２導光部１４の変形例を示すものである。なお、図１１に示す本変形例において、図１と同一構成部分には同一符号を付し、図１の第１実施形態と重複する説明を省略する。
【００７２】
この図１１に示すように、導光板３の第２導光部１４の裏面１８側に形成した第２プリズム状突起２２は、下溝１２の第２入射面１２ｃから遠ざかる（第２入射面１２ｃと対向する導光板３の側面２４へ向かう）に従ってプリズム幅（導光板３の長手方向に沿った長さ）を徐々に大きくするようになっている。なお、本変形例においては、導光板３の長手方向に沿って、第２プリズム状突起２２の列が複数列形成されており、各列の第２プリズム状突起２２が下溝１２の第２入射面１２ｃから遠ざかるに従ってプリズム幅を漸増させるようになっている。ここで、第２プリズム状突起２２は、図１１（ｂ）に示すように、例えば、Ｓ１＝０．０２５ｍｍ、θ１＝８７°、θ２＝４３°となるように形成されている。そして、図１２に示すように、第２プリズム状突起２２は、下溝１２の第２入射面１２ｃから側面２４へ向かうに従って各列の第２プリズム状突起２２のプリズム幅の増加率が漸増（下に凸の曲線で表される増加率で漸増）するように形成されている。
【００７３】
このように構成された第２導光部１４は、導光板３の第２出射面１７から出射する光の輝度を均一化することができる。したがって、このような第２導光部１４が形成された導光板３を面光源装置１の構成部品として使用すれば、面状照明の明るさがより一層均一化される。
【００７４】
（第８変形例）
図１３は、面光源装置１の第８変形例を示すものであり、特に、導光板３の第１導光部１３と第２導光部１４との間に位置する上溝１１と下溝１２の変形例に関するものである。
【００７５】
この図１３（ａ）に示すように、上溝１１及び下溝１２は、その断面形状が矩形形状（図１（ｂ）参照）のものに限られず、略三角形状の断面形状のものでもよい。なお、上溝１１の溝底１１ａと下溝１２の溝底１２ａは、図１（ｂ）に示した態様と同様に、導光板３の板厚方向の同一位置にあるか、又は導光板３の板厚方向にオーバーラップしている。
【００７６】
また、上溝１１と下溝１２は、図１（ｂ）及び図１３（ａ）に示した態様に限定されるものではなく、下溝１２を上溝１１よりも第１導光部１３の側面２０に近づけて配置するようにしてもよい。
【００７７】
また、上溝１１及び下溝１２の断面形状は、図１（ｂ）及び図１３（ａ），（ｂ）のものに限定されるものではなく、矩形形状及び三角形状に類似した形状のものであり、矩形形状及び三角形状のものと同様に機能するものであればよい。
【００７８】
［第２実施形態］
図１４は、本発明の第２実施形態に係る面光源装置１を示すものである。なお、本実施形態に係る面光源装置１において、第１実施形態の面光源装置１と同様の構成部分には同一符号を付し、第１実施形態と重複する説明を省略する。
【００７９】
図１４に示すように、本実施形態の面光源装置１は、導光板３に形成された上溝１１及び下溝１０が導光板３の対向する両側面４，８に開口している。
【００８０】
このような構成の本実施形態の面光源装置１は、第１実施形態における第１連結部１５，１５が形成されないため（図１参照）、第１導光部１３の側面（第１出射面）１１ｂ，１２ｂから出射する光の全てが上溝１１又は下溝１２を通過した後に第２導光部１４に入射することになり、第２導光部１４内を側面（第２入射面）１１ｃ，１２ｃから遠ざかる方向に伝播する光の量が第２導光部１４の幅方向（長手方向）で均一化し、第２導光部１４の表面（第２出射面）１７から出射する光の輝度を均一化することができ、有効発光領域２３を第１実施形態の面光源装置１よりも広げることができる。
【００８１】
［第３実施形態］
図１５〜図１６は、本発明の第３実施形態に係る面光源装置１を示すものである。なお、本実施形態に係る面光源装置１は、第１実施形態の面光源装置１と同様の構成部分には同一符号を付し、第１実施形態の説明と重複する説明を省略する。
【００８２】
これらの図に示すように、本実施形態の面光源装置１は、第１導光部１３の側面２０に第１プリズム状突起が形成されず（図１（ａ）参照）、第１導光部１３の側面２０が一端面（第１入射面）４ａから離れるに従って側面（第１出射面）１１ｃ，１２ｃ側に漸近する平坦面であり、第１導光部１３を平面視した形状が略楔形状になっている。ここで、第１導光部１３の側面が第１光出射促進手段として機能する。
【００８３】
また、第２導光部１４の側面（第２入射面）１１ｃ，１２ｃには、第１導光部１３の第１出射面１１ｂ，１２ｂから上溝１１及び下溝１２内に出射した光を第２入射面１１ｃ，１２ｃにほぼ直交する方向に偏向して入射させるプリズム状突起２５が形成されている。このプリズム状突起２５は、平面視した形状が略三角形状に形成され、第２導光部１４の表面（第２出射面）１７から裏面１８まで板厚方向に沿って延びるように形成されており、第２入射面１１ｃ，１２ｃの幅方向（長手方向）一端側から他端側まで連続して複数形成されている。なお、図１５（ｃ）において、例えば、上溝１１の溝幅Ｗを０．１ｍｍとすると、プリズム状突起２５はＳ１＝０．１ｍｍ、θ＝６８°となるように形成されている。
【００８４】
このような本実施形態の面光源装置１は、第１実施形態と同様の効果を得ることができる。
【００８５】
なお、図１７に示すように、第１導光部１３の点状光源５に対向する一端面（第１入射面）４ａにシリンダーレンズ２６を形成するか、又は、梨地面等に粗面化し、点状光源５からの光を拡散させた状態で第１導光部１３内に入射させるようにしてもよい。なお、シリンダーレンズ２６は、例えば、その高さ寸法Ｈが０．０２ｍｍで、そのレンズの曲率半径Ｒが０．０３ｍｍとなるように形成されている。
【００８６】
［第４実施形態］
図１８は、本発明の第４実施形態に係る面光源装置１を示すものである。なお、本実施形態に係る面光源装置１は、第１実施形態の面光源装置１と同様の構成部分に同一符号を付し、第１実施形態と重複する説明を省略する。
【００８７】
図１８に示すように、面光源装置１の導光板３は、第２導光部１４の裏面１８を下溝１２の第２入射面１２ｃから遠ざかるに従って表面（第２出射面）１８側に漸近させ、第２入射面１２ｃに直交し、且つ、第２出射面１７に直交する仮想平面によっ切断した断面形状が略楔形状になるように形成されている。そして、導光板３の裏面１８は、プリズム状突起が形成されておらず、平坦面になっている。
【００８８】
導光板３の第２出射面１７の上方には、第２出射面１７に重ねるように光制御部材（プリズムシート）２７が配置されている。この光制御部材２７の導光板３に対向する面（下面）側には、導光板３の第２入射面１２ｃの長手方向（図１８の紙面に直交する方向）とほぼ平行に延びる断面略三角形状（導光板３の第２入射面１２ｃに直交し、且つ、第２出射面１７に直交する仮想平面で切断して示す断面の形状が略三角形状）のプリズム状突起２８が第２入射面１１ｃ，１２ｃに直交する方向（第２入射面１１ｃ，１２ｃから遠ざかる方向）に沿って連続して複数形成されている。この光制御部材２７は、導光板３の第２出射面１７から出射した光（第２出射面１７の法線方向に対して約７０°の角度で出射する光）が導光板３の第２出射面１７の法線方向へ向かう光Ｌとなるように、光の進行方向を偏向する。
【００８９】
このような構成の本実施形態に係る面光源装置１は、画像表示装置７の画像表示パネル６を効率的に照明することができる。
【００９０】
［第５実施形態］
図１９は、本発明の第５実施形態に係る面光源装置１を示すものである。なお、本実施形態に係る面光源装置１は、第１実施形態の面光源装置１と同様の構成部分に同一符号を付し、第１実施形態と重複する説明を省略する。
【００９１】
図１９に示すように、面光源装置１の導光板３は、第１導光部１３の側面２０を第１入射面４ａから遠ざかるに従って第１出射面１１ｂ，１２ｂ側に漸近させ、平面視した形状が略楔形状になるように形成されている。そして、第１導光部１３の側面２０は、プリズム状突起が形成されておらず、平坦面になっている。ここで、第１導光部１３の側面２０は、第１入射面４ａから入射した点状光源５からの光が第１導光部１３の長手方向へ向けて導光していく過程において、その光を第１出射面１１ｂ，１２ｂから上溝１１又は下溝１２内の空間へ出射させる第１光出射促進手段として機能する。
【００９２】
また、導光板３は、第２導光部１４の裏面１８を下溝１２の第２入射面１２ｃから遠ざかるに従って表面（第２出射面）１８側に漸近させ、第２入射面１２ｃに直交し、且つ、第２出射面１７に直交する仮想平面によっ切断した断面形状が略楔形状になるように形成されている。そして、第２導光部１４の裏面１８は、プリズム状突起が形成されておらず、平坦面になっている。ここで、第２導光部１４の裏面１８は、第２入射面１１ｃ，１２ｃから入射して第２入射面１１ｃ，１２ｃから遠ざかる方向へ伝播する光を第２出射面１７から出射させる第２光出射促進手段として機能する。
【００９３】
導光板３の第２出射面１７の上方には、第２出射面１７に重ねるように第１の光制御部材（第１のプリズムシート）３０が配置され、この第１の光制御部材３０の上方に第２の光制御部材（第２のプリズムシート）３１が重ねて配置されている。
【００９４】
第１の光制御部材３０は、第２の光制御部材３１に対向する面側に、導光板３の上溝１１の長手方向とほぼ平行に延びる断面略三角形状のプリズム状突起（図示せず）が上溝１１の長手方向にほぼ直交する方向へ連続して複数形成されている。そして、この第１の光制御部材３０は、導光板３の第２入射面１１ｃ，１２ｃに直交し且つ導光板３の第２出射面１７に直交する仮想平面内において、第２出射面１７から出射した光を第２出射面１７の法線方向寄りに集めるように機能する。
【００９５】
また、第２の光制御部材３１は、画像表示パネル６に対向する面側に、第１の光制御部材３０のプリズム状突起と直交する断面略三角形状のプリズム状突起（図示せず）が複数形成されている。そして、この第２の光制御部材３１は、導光板３の第２入射面１１ｃ，１２ｃに平行で且つ導光板３の第２出射面１７に直交する仮想平面内において、第１の光制御部材３０から出射した光を第２出射面１７の法線方向寄りに集めるようになっている。
【００９６】
このような構成の本実施形態に係る面光源装置１は、画像表示装置７の画像表示パネル６を効率的に照明することができる。
【図面の簡単な説明】
【００９７】
【図１】本発明の第１実施形態に係る面光源装置を示す図である。図１（ａ）が光制御部材を省略して示す面光源装置の平面図であり、図１（ｂ）が図１（ａ）のＡ１−Ａ１線に沿って切断して示す面光源装置の断面図であり、図１（ｃ）が図１（ｂ）のＦ部を拡大して示す図である。
【図２】図２（ａ）が本発明の第１実施形態に係る導光板の第１導光部の第１出射面から出射される光の相対光度を示す図であり、図２（ｂ）が面光源装置を模式的に示す平面図であり、図２（ｃ）が面光源装置の第１導光部側の外観を斜め上方から見て模式的に示すと共に相対光度を測定した仮想平面を定義する図である。
【図３】図３（ａ）が本発明の第１実施形態に係る導光板の第２導光部の第２出射面から出射される光の相対光度を示す図であり、図３（ｂ）が面光源装置を外観を斜め上方から見て模式的に示すと共に相対光度を測定した仮想平面を定義する図である。
【図４】第１実施形態の第１変形例に係る面光源装置を示す図であり、図４（ａ）が光制御部材を省略して示す面光源装置の平面図であり、図４（ｂ）が図４（ａ）のＡ２−Ａ２線に沿って切断して示す面光源装置の断面図であり、図４（ｃ）が図４（ｂ）のＦ部を拡大して示す図である。
【図５】第１実施形態の第２変形例に係る面光源装置を示す図であり、特に、面光源装置を構成する導光板の第１導光部の変形例を示すものである。図５（ａ）が第１導光部の背面側を示す図であり（第１プリズム状突起を頂部のみで模式的に示した図であり）、図５（ｂ）が図５（ａ）のＹ１方向から見た一部拡大平面図であり、図５（ｃ）が第１導光部の光源側の一端面からの距離（プリズム設置位置寸法）とプリズム幅との関係を示す図である。
【図６】第１実施形態の第３変形例に係る面光源装置を示す図であり、特に、面光源装置を構成する導光板の第１導光部の変形例を示すものである。図６（ａ）が第１導光部の背面側を示す図であり（第１プリズム状突起を頂部のみで模式的に示した図であり）、図６（ｂ）が図６（ａ）のＹ２方向から見た一部拡大平面図であり、図６（ｃ）がプリズム本数とプリズム設置位置（第１導光部の光源側の一端面からの寸法）との関係を示す図である。
【図７】第１実施形態の第４変形例に係る面光源装置を示す図であり、特に、導光板の上溝と下溝の形状の変形例を示すものである。図７（ａ）が図１（ｂ）に対応する断面図であり、図７（ｂ）が図７（ａ）のＦ部を拡大して示す図である。
【図８】第１実施形態の第５変形例に係る面光源装置を示す図であり、特に、導光板の第２導光部の変形例を示すものである。図８（ａ）が図１（ｂ）に対応する断面図であり、図８（ｂ）が図８（ａ）のＦ部を拡大して示す図である。
【図９】第１実施形態の第６変形例に係る面光源装置を示す図であり、特に、導光板の第２導光部の変形例を示すものである。図９（ａ）が導光板の裏面側を部分的に示す図であり、図９（ｂ）が図１（ｃ）に対応する図である。
【図１０】第６変形例に係る導光板の裏面側に形成されるプリズム本数とプリズム設置位置（プリズム位置基準である下溝の第２入射面からの寸法）との関係を示す図である。
【図１１】第１実施形態の第７変形例に係る面光源装置を示す図であり、特に、導光板の第２導光部の変形例を示すものである。図１０（ａ）が導光板の裏面側を部分的に示す図であり、図１０（ｂ）が図１（ｃ）に対応する図である。
【図１２】第７変形例に係る導光板の裏面側における導光方向距離（下溝の第２入射面からの法線方向距離）とプリズム幅との関係を示す図である。
【図１３】第１実施形態の第８変形例に係る面光源装置を示す図であり、特に、導光板の第１導光部と第２導光部との間に位置する上溝と下溝の変形例に関するものである。図１３（ａ）は、上溝が下溝よりも左側（点状光源寄り）に位置する態様を示す図であり、図１（ｂ）に対応する図である。図１３（ｂ）は、下溝が上溝よりも左側（点状光源寄り）に位置する態様を示す図であり、図１（ｂ）に対応する図である。
【図１４】本発明の第２実施形態に係る面光源装置を示す図である。図１４（ａ）が光制御部材を省略して示す面光源装置の平面図であり、図１４（ｂ）が図１４（ａ）のＡ３−Ａ３線に沿って切断して示す面光源装置の断面図であり、図１４（ｃ）が図１４（ｂ）のＦ部を拡大して示す図である。
【図１５】本発明の第３実施形態に係る面光源装置を示す図である。図１５（ａ）が光制御部材を省略して示す面光源装置の平面図であり、図１５（ｂ）が図１５（ａ）のＡ４−Ａ４線に沿って切断して示す面光源装置の断面図であり、図１５（ｃ）が図１５（ａ）のＥ部を拡大して示す図であり、図１５（ｄ）が図１５（ｂ）のＦ部を拡大して示す図である。
【図１６】図１５（ｂ）に示す導光板の断面部を斜め上方から見て示す斜視図である。
【図１７】本発明の第３実施形態に係る面光源装置の変形例を示す図である。図１７（ａ）が光制御部材を省略して示す面光源装置の平面図であり、図１７（ｂ）が図１７（ａ）の第１導光部の一端面近傍を拡大して示す図である。
【図１８】本発明の第４実施形態に係る面光源装置を示す図であり、図１（ｂ）に対応する面光源装置の断面図である。
【図１９】本発明の第５実施形態に係る面光源装置を示す図である。図１９（ａ）が第１及び第２の光制御部材を省略して示す面光源装置の平面図であり、図１９（ｂ）が図１９（ａ）のＡ５−Ａ５線に沿って切断して示す断面図である。
【図２０】従来の面光源装置の平面図である。
【図２１】図２０のＡ６−Ａ６線に沿って切断して示す断面図である。
【符号の説明】
【００９８】
１……面光源装置、２，２７……光制御部材、３……導光板（板状体）、４……側面、４ａ……一端面、５……点状光源、６……画像表示パネル（液晶表示パネル）、７……画像表示装置（液晶表示装置）、８……側面、１０……溝、１１……上溝、１１ａ……溝底、１１ｂ……側面（第１出射面）、１１ｃ……側面（第２入射面）、１２……下溝、１２ａ……溝底、１２ｂ……側面（第１出射面）、１２ｃ……側面（第２入射面）、１３……第１導光部、１４……第２導光部、１７……表面（第２出射面）、１８……裏面、２０……側面（背面）、２１……第１プリズム状突起、２２……第２プリズム状突起、２５……プリズム状突起、２８……プリズム状突起、３０……第１の光制御部材、３１……第２の光制御部材
【図１】
2010108704.tif 000003
【図２】
2010108704.tif 000004
【図３】
2010108704.tif 000005
【図４】
2010108704.tif 000006
【図５】
2010108704.tif 000007
【図６】
2010108704.tif 000008
【図７】
2010108704.tif 000009
【図８】
2010108704.tif 000010
【図９】
2010108704.tif 000011
【図１０】
2010108704.tif 000012
【図１１】
2010108704.tif 000013
【図１２】
2010108704.tif 000014
【図１３】
2010108704.tif 000015
【図１４】
2010108704.tif 000016
【図１５】
2010108704.tif 000017
【図１６】
2010108704.tif 000018
【図１７】
2010108704.tif 000019
【図１８】
2010108704.tif 000020
【図１９】
2010108704.tif 000021
【図２０】
2010108704.tif 000022
【図２１】
2010108704.tif 000023